(57)【要約】  本開示において提供されるものは、ＩＨＣ抗原イメージングのスケール外挿の方法に関する。本開示において提供されるものは特に、抗原濃度スケールを二次哺乳動物ＩｇＧ血清の既知の勾配密度標的系列及び任意に抗原濃度から作成する方法に関する。上述の方法の主な用途は、標的タンパク質濃度スケールを用いたスライド上での画像解析を補助することである。一次抗原濃度スケールを二次タンパク質濃度スケールから形成するために上記方法が用いられる。この場合、一次抗原濃度スケールは、癌等の検出される細胞の異常の組織切片を利用するために共在する組織切片に適用される。
2020523616.tif 000002
【特許請求の範囲】
【請求項１】
抗原濃度スケールを抗原濃度の既知の勾配密度標的系列及び二次哺乳動物ＩｇＧから作成するＩＨＣイメージングの外挿の方法であって、
（ａ）顕微鏡スライドを抗体から構成される一次染色試薬に曝露する工程と、
（ｂ）前記抗体をその適合抗原標的上に捕捉させる工程と、
（ｃ）工程（ａ）の抗体と二次標的アレイとを抗原特定用の二次染色試薬キットを用いて結合させる工程と、
（ｄ）工程（ｃ）の特定された抗原を色素原沈殿により着色する工程と、
（ｅ）色強度を算出／比較する工程と、
を含み、前記顕微鏡スライドが検出ゾーンと対照ゾーンとを備え、
前記検出ゾーンが、免疫組織化学（ＩＨＣ）による処理及びその後の試験のために組織切片又は遊離細胞を適用する空間であり、
前記対照ゾーンが、或る特定の比率で前記スライドに固定された２つの二次哺乳動物ＩｇＧアレイ及び任意に１セット以上の抗原アレイを含む、方法。
【請求項２】
前記抗体がマウスＩｇＧ又はウサギＩｇＧ型抗体である、請求項１に記載の方法。
【請求項３】
全ての抗原及び二次哺乳動物ＩｇＧローディングドットが円形、楕円形、正方形、菱形等の任意の規則的又は不規則な形状とすることができる、請求項１又は２に記載の方法。
【請求項４】
前記抗体が、更に蛍光マーカーにコンジュゲートされていないか又は酵素部位（ＨＲＰ又はＡＰ等）と一体化されていない、マウス又はウサギ宿主タンパク質を用いる、ＩＨＣに認可された抗体から選択される、請求項１〜３のいずれか一項に記載の方法。
【請求項５】
前記二次染色試薬を、各々がマウスとウサギとで独自に独立し、各々が異なる色の色素原を用いる、１倍〜２５倍の酵素利得を有する二次染色から選択することができる、請求項１〜４のいずれか一項に記載の方法。
【請求項６】
前記方法を、組織切片と共在するマウス及びウサギＩｇＧタンパク質の勾配密度アレイを最低限有する標的アレイを有する接着剤コーティング顕微鏡スライド上で実行することができる、請求項１〜５のいずれか一項に記載の方法。
【請求項７】
全アレイ標的が２０ｌｏｇ（希釈率）曲線上の成員であり、希釈率を１：１〜１０００：１の範囲とすることができる、請求項１〜６のいずれか一項に記載の方法。
【請求項８】
前記染色試薬自体の反応性の変動を補完した上で、拡張抗原スケールを２０ｌｏｇ（希釈率）プロファイル上の３点から、同様に２０ｌｏｇ（希釈率）プロファイルによる二次タンパク質系列のより多数の点を用いた拡張スケールへと投影する、請求項１〜７のいずれか一項に記載の方法。
【請求項９】
各抗原スケールを、客観的尺度による共在する組織切片における同じ抗原密度の測定に適用することができる、請求項１〜８のいずれか一項に記載の方法。
【請求項１０】
前記一次抗原濃度スケールを、癌等の検出される細胞の異常の組織切片を利用するために、続いて共在する組織切片に適用する、請求項１〜９のいずれか一項に記載の方法。
【発明の詳細な説明】
【技術分野】
【０００１】
［関連出願の相互参照］
本出願は、２０１７年６月１５日付けで出願された米国仮特許出願第６２／５２０１８７号、及び２０１７年６月１５日付けで出願された米国仮特許出願第６２／５２０３１９号の優先権を主張し、各開示はそれらの全体が引用することにより本明細書の一部をなす。
【０００２】
本発明は、ＩＨＣ（免疫組織化学的）抗原イメージングのスケール外挿の方法に関する。本発明は特に、抗原濃度スケールを二次哺乳動物ＩｇＧ血清の既知の勾配密度標的系列及び任意に抗原濃度から作成する方法に関する。上述の方法の主な用途は、標的タンパク質濃度スケールを用いたスライド上での画像解析を補助することである。一次抗原濃度スケールを二次タンパク質濃度スケールから形成するために上記方法が用いられる。この場合、一次抗原濃度スケールは、癌等の検出される細胞の異常の組織切片を利用するために共在する組織切片に適用される。
【背景技術】
【０００３】
イムノアッセイは、試料中の未知濃度の分析物を定量化する必要がある場合に用いられる。未知濃度の最も正確な判定を得るためには、通常のアッセイ開発基準（標準偏差又は最適シグナルウィンドウ）だけでなく、イムノアッセイにより未知試料の値をどの程度予測することができるかにも基づいてイムノアッセイを開発しなくてはならない。初めに、アッセイの重要成功要因を確立することが必要である。次いで、概念実証を確立するイムノアッセイを開発する必要がある。最適化の段階で、イムノアッセイ法の定量可能範囲を、実験試料が測定されるマトリックス中で精度プロファイルを算出することによって決定する。次いで、分析物をマトリックスに添加し、マトリックス中での分析物の回収率を決定することによって添加回収（spiked recovery）を行う。精度プロファイルが所望の動作範囲内である場合、添加回収試料を数日間にわたってアッセイすることで、イムノアッセイの検証が完了する。精度プロファイルの限界が所望の動作範囲内にない場合、イムノアッセイの更なる最適化が検証前に必要とされる。
【発明の概要】
【発明が解決しようとする課題】
【０００４】
本願において開示される方法の主な用途は、標的タンパク質濃度スケールを用いたスライド上での画像解析を補助することである。本発明は、一次抗原濃度スケールを二次タンパク質濃度スケールから形成するために用いられる方法を開示する。前記一次抗原濃度スケールを、癌等の検出される細胞の異常の組織切片を利用するために、続いて共在する組織切片に適用する。
【課題を解決するための手段】
【０００５】
一般的に、本発明の一態様では、ＩＨＣ抗原イメージングのスケール外挿の方法が提供される。
【０００６】
本発明の別の態様では、本発明は、抗原濃度スケールを抗原濃度及び二次哺乳動物ＩｇＧ血清の既知の勾配密度標的系列から作成する方法を開示する。
【０００７】
本発明の更に別の態様では、上述の方法の主な用途は、標的タンパク質濃度スケールを用いたスライド上での画像解析を補助することである。
【０００８】
本発明の更に別の態様では、方法は、一次抗原濃度スケールを二次タンパク質濃度スケールから形成するために用いられる。
【０００９】
本発明の更に別の態様では、前記一次抗原濃度スケールは、癌等の検出される細胞の異常の組織切片を利用するために、続いて共在する組織切片に適用される。
【００１０】
以下の記載において、本発明の他の態様が開示される。
【図面の簡単な説明】
【００１１】
【図１】種々の標的の識別表示を有するＩＨＣ染色後の一次及び二次染色捕捉標的を含むスライドの一部を示す図である。
【図２】ＩＨＣ染色後の二次タンパク質アレイの１つに対する抗原賦活化処理の影響を示す図である。
【図３】共在する組織切片を有し、ＩＨＣ染色に供される、二次タンパク質濃度スケールを有するスライドを示す図である。
【発明を実施するための形態】
【００１２】
本発明は、本開示の一部をなす本発明の以下の詳細な説明を参照することにより、より容易に理解され得る。本発明は、本明細書で記載されるか、及び／又は、示される特定の装置、方法、条件、又はパラメータに限定されるものではなく、本明細書で使用される専門用語は単なる例であり、特許請求する発明の限定を意図するものではないと理解されるべきである。また、添付の特許請求の範囲を含む明細書で使用される数量を特定していない単数形（'a', 'an', and 'the'）は、複数形を含み、特定の数値に対する言及は、内容により明確に異なることが指示されない場合は、少なくともその特定の数値を含むものである。本明細書中、他の実施形態において表現されている場合は、範囲は、「約（about）」又は「およそ（approximately）」他の特定値からと表現してもよい。また、特段の指示がない限り、本明細書で言及する寸法及び材料特性は、限定的なものではなく例示であり、好適に実用できるサンプル実施形態をより理解するためのものであり、言及した値を外れる変形形態も、特定の用途によって本発明の範囲に含まれ得ると理解されるべきである。
【００１３】
本発明は、その適用において、以下の記載において明示する、又は以下の記載において説明される、又は図面において説明される構造の詳細及び構成要素の配列に限定されるものではない。本発明においては、他の実施形態が可能であり、種々の方法で実施又は実行することができる。また、本明細書で使用の用語及び専門用語は、説明を目的として使用されており、限定的に解釈されるべきではない。「含む（including）」、「含む（comprising）」、「有する（having）」、「含有する（containing）」、「伴う（involving）」、及びこれらの変化形の使用は、追加の項目を含む。
【００１４】
免疫組織化学的（ＩＨＣ）染色は概して、患者の組織切片における特定の抗原部位の存在を評価するために用いられる。異常状態又は癌性状態の診断レベルを割り当てるために、主観的解釈が組織切片上での染色密度に対して適用される。概して、ＩＨＣ処理が常に正確に機能し、組織切片が異常状態又は癌性状態を存在する場合にそれらを特定する可視色素原マーカーで標識されると仮定される。しかしながら、抗原賦活化が失敗する又は染色試薬に欠陥があると、アーチファクトを特定するシグネチャは残らない。このため、有効な診断判定を実験助手又は病理学者に委ねることができない可能性が大きい。言い換えると、物理的形態が異常状態を示すのに十分ではなく、抗原部位が標識されず、スライドによりヘマトキシリン及びエオシン（Ｈ＆Ｅ）スライド上で見られる以上のものが提供されない可能性がある。
【００１５】
算定を完了するのに必要とされる確認済みの（passed in）要件が幾つかある。知る必要があるパラメータは、以下の通りである：
１．  抗体Ａ：希釈率、ＩＤ及び宿主種（例は２５、ＥＲ、マウスである）
２．  抗体Ｂ：希釈率及びＩＤ（例は２０、Ｋｉ−６７である）。宿主種が必要でないのは、抗体Ａに何を使用しても、抗体Ｂを抗体Ａとは逆のマウス／ウサギとすべきであるためである。
【００１６】
一次抗体が所望の抗原画分を接種した宿主動物（マウス又はウサギ）から得られる加工宿主血清から構成されることが知られている。次いで、宿主が血清タンパク質を産生し、ここで抗原部位が抗原アンタゴニストに対する抗体反応物を含有する。抗体を続いて標的抗原を含有するタンパク質と接触させると、抗原と抗体とが結合する。結果として、抗体の宿主種（マウス又はウサギ）は、二次染色キットと反応しないままとなる。
【００１７】
ＩＨＣ標的を共在する組織切片に対する抗原密度ルーラーの作成に用いることができることの根拠は、以下の一連の項目に従う。
【００１８】
スライドの接着結合部位の密度は、単一タンパク質の面積変位を少なくとも２桁上回る。
【００１９】
一次抗体及び二次タンパク質が既知の原子質量（ｋＤａ）を有し、これをナノグラムでの重量に変換することができる。
【００２０】
一次標的及び二次標的は、既知の分注量の標的物質が適用される、明確に画定された円形の付着域を有する。タンパク質付着物は、架橋カプラーを含むため、スライドコーティングの孔内にタンパク質の深さを超えて沈むことができない。このため、タンパク質の原子質量、付着物中の各タンパク質型のタンパク質の数、及び標的の面積を知ることで、標的の活性表面タンパク質密度を計算することができる。
【００２１】
一次抗体の試薬に曝露されるスライド上での適用濃度、分注量及び表面積は、既知である。試薬の曝露時間中に浮遊抗体の大部分が落下し、受容抗原部位によって捕捉されると合理的に仮定することができる。抗原部位の真上に落下した抗体のみが捕捉されることとなり、残りはバッファー洗浄工程により洗い流される。このため、濃度がカットオフを２５％超上回り、飽和の２５％未満である場合に、付着抗体濃度を確立することができる。
【００２２】
ａ．  カットオフは、適用タンパク質濃度を捕捉するのに不十分な標的部位の密度と規定される。
【００２３】
ｂ．  飽和は、適用タンパク質濃度の全てを捕捉することができないことと規定される。
【００２４】
一次希釈率（ration）を知ることで、正確な一次標的の密度標的を選ぶことができ、一次濃度を実証することができる。
【００２５】
各々の二次標的及び一次標的は、（（マウス又はウサギ）＋（ロバ＋架橋剤＋真菌阻害剤））又は（（抗原Ａを有するＫＬＨ又は抗原Ｂを有するＫＬＨ）＋（非コンジュゲートＫＬＨ＋架橋剤＋真菌阻害剤））の混合ブレンドである。各ドットは、同じ量の総タンパク質を有するが、特定の標的を構成するタンパク質間で原子質量が異なり得ることから、混合比を僅かに調整しなくてはならない。例えば、以下の通りである。
Ａ．  マウスＩｇＧ＝１５５ｋＤａ
Ｂ．  ウサギＩｇＧ＝１５０ｋＤａ
Ｃ．  ロバＩｇＧ＝１６０ｋＤａ
Ｄ．  抗原ペプチド鎖とコンジュゲートしたＫＬＨサブユニット（ここで、サブユニットは、ＫＬＨ１及びＫＬＨ２である）＝３５０ｋＤａ＆３９０ｋＤａ
【００２６】
２Ｄ二次標的系列は、２０ｌｏｇ（希釈率）プロファイルに従うと１０％〜１００％の範囲であり、ここで、希釈率は１：１〜１０００：１の範囲である。単一２Ｄ／３Ｄ標的を用いて、２Ｄベースと３Ｄ粒子との間の染色密度Δを測定する。Δを２Ｄアレイの残りに適用して、組織切片内又は組織切片上で見られる３Ｄ挙動に良好に適合した色密度スケールを作成することができる。
【００２７】
二次１００％２Ｄ／３Ｄ及び２Ｄ標的により、２つの付着物が２Ｄ染色密度に関して適合していることが確認される。これにより、３Ｄ粒子成分が１００％タンパク質物質を２Ｄ成分のシフトを引き起こすほどに十分に消費しないことが確認される。
【００２８】
二次染色は、染色試薬の構築の関数である１倍〜２０倍の酵素利得関数を採用する。したがって、利得が上昇するにつれて、より低濃度の二次標的が飽和へとシフトする一方で、利得が１まで低下すると、高濃度の二次標的のみが視認可能に染色される。
【００２９】
二次標的アレイが共有結合的に固定されない場合、ＩＨＣスライドが受ける抗原賦活化プロセスからの付着物に損傷が見られる。これによりＡＲ影響の測定が得られるが、組織に対するＡＲ影響が常に未知であることから、組織に適用することができる抗原密度スケールの生成には有用でない。したがって、抗原密度スケールは、組織切片上又は組織切片内に残されるものしか反映することができない。そのため、２つの抗原賦活化標的がＡＲプロセスを評価するＱＣ用途のために提供される。
【００３０】
二次標的タンパク質と一次標的タンパク質との間の相当な大きさの違いのために、タンパク質濃度の密度は、一次タンパク質によって確立される。ＫＬＨサブユニットであるＫＬＨ１及びＫＬＨ２が５０：５０の分布を有するという前提を受け入れると、それらの平均値である３７０ｋＤａを一次標的希釈率の設定に用いることができる。
【００３１】
１５０ｋＤａの平均一次抗体原子質量を用いると、単一抗体の重量は１５０ｋＤａ（１．６６０５×１０−１２）であり、これは２４９×１０−１２ｎｇの重量に相当する。スライドの単一領域を曝露される唯一の部分とした場合に、適用される一次試薬の量を解明することができる。したがって、内寸が２０．３ｍｍ平方×高さ０．１４ｍｍ以内の密閉毛細管ギャップを用いると、容量は５７．２μｌである。標的ドットの１つの面積を表す直径１ｍｍの標的ゾーンに対する比率から、適用される一次抗体試薬は０．１μｌとなる。
【００３２】
一次抗体試薬は、その濃縮物から１μｇ／ｍｌ〜１００μｇ／ｍｌの範囲にまで希釈される。したがって、１μｇ／ｍｌ〜１００μｇ／ｍｌの適用一次希釈については、標的は０．１μｇ〜１μｇの抗体に曝露される。抗体の重量が名目上、２４９×１０−１２ｎｇであることを考えると、１ｍｍの標的最大タンパク質曝露範囲は、４１．０６個〜４１０６個の抗体となる。
【００３３】
１００％の捕捉能を確実にするには、一次標的が１００倍〜１０００倍の安全計数を有するべきである。１０００倍の選択肢を選んだ場合、一次標的は、４×１０６個の抗原部位を含有する必要がある。ＫＨＬサブユニットは適用抗体よりも大きいが、増分は捕捉抗体の数が１：１を超えて変化するには十分でない。各ＫＬＨサブユニットは、３７０ｋＤａの平均原子質量を有し、これは６１４．４×１０−１２ｎｇの重量に相当する。
【００３４】
タンパク質分子の体積は、タンパク質の分子量及び平均タンパク質部分比容から極めて単純かつ確実に概算することができる（部分比容＝体積／分子量）。可溶性の球状タンパク質について実験的に決定される部分比容の平均は、約０．７３ｃｍ３／ｇである。この値はタンパク質によって異なるが、範囲は幾分狭い。等式を約（１．２１２×１０３×ＭＷ）ｎｍ３のタンパク質体積へと換算する。これにより、ＫＬＨサブユニットでは、個々の体積は４４８．４４ｎｍ３である。タンパク質を球体としてモデル化すると、球体の直径は０．１３２×ＭＷ１／３（ｎｍ）となる。ＫＬＨサブユニットでは、これは９．４３６ｎｍである。
【００３５】
１ｍｍの標的直径では、ＫＬＨサブユニットの単分子層は、１１．２３７×１０２７個のタンパク質を必要とする。４×１０６個のタンパク質の活性標的密度では、最小希釈率は１：２．８×１０２１となる。実際的には、１：１０００に近い任意の希釈率が、その活性タンパク質濃度によって一次抗体の評価が支配されることから、有効である。このため、標的密度は、その低濃度下限値によってのみ制限される。
【００３６】
二次標的アレイは、１：１〜１０００：１の段階希釈増分である。希釈の線形勾配は、−２０ｌｏｇ（希釈率）として生じる（以下、ｄＢｄと称する）。１：１〜１０００：１の記載の希釈範囲については、半ｌｏｇ範囲は０ｄＢｄ〜−６０ｄＢｄである。−３ｄＢｄの希釈段階を選ぶと、二次標的希釈は０ｄＢｄ、−３ｄＢｄ、−６ｄＢｄ、−９ｄＢｄ、−１２ｄＢｄ、−１５ｄＢｄ、−１８ｄＢｄ、−２１ｄＢｄとなる。
【００３７】
染色は、一次抗体の濃度及び二次染色キットの酵素利得に応じた飽和又はカットオフを受ける場合がある。飽和は、酵素部位の密度が色素を色素原から沈殿させる能力を超える場合である。言い換えると、染色の色は、実現可能な限り暗くなる。カットオフは、一次抗体の濃度及び二次染色キットの酵素利得が過度に低く、結果として不十分な色素沈殿が見られる場合に生じる。この２つの要因により、二次列の暗さが飽和（１００％）又はカットオフ（０％）へとシフトする。図２に基づくと、この移動は視認可能な標的の数として見られる。二次酵素利得が増大するにつれ、１００％のドット密度が０％位置側にシフトする。一般的な酵素利得は１、２、４、５、８、１０、１５及び２０である。これらは、０％位置側への二次アレイのシフトとして言い換えられる：
２０倍  全標的が−２６ｄＢｄにシフトする；
１５倍  全標的が−２３．５２にシフトする；
１０倍  全標的が−２０にシフトする；
５倍  全標的が−１３．９８にシフトする；
４倍  全標的が−１２．０４にシフトする；
２倍  全標的が−６．０２にシフトする；
１倍  ２Ｄの１００％ドットのみが黒色に近い。
【００３８】
一次標的アレイが存在する場合、二次酵素利得の増大により染色密度が低一次濃度ドット側にシフトする。一次抗体濃度が増大する場合も同様である。抗原賦活化プロセスにより一次標的及び二次標的の両方が或る程度まで分解され、これによりカットオフ側へとシフトが逆転する。ＩＨＣ染色の終了時に３ドット以上が消滅している場合、スライドは過度の抗原賦活化時間、温度又はその両方を受けたと考えられ、過度の抗原の存在が組織上で失われ、診断解釈が限界となる。この判定は、二次染色が損なわれていることが既に示されるため、一次抗体の効力とは無関係である。抗体の段階でこの損傷レベルを克服することができる手立てはない。
【００３９】
通例、二次アレイを１００％位置側に３ドット以上シフトさせるＡＲ損傷は、過度であると考えられ、より高い酵素利得の二次染色キット又はより高濃度の抗体を用いてスライドをやり直す必要がある。
【００４０】
このため、一次抗原標的の色密度は、抗体濃度の総計に二次染色キットの酵素利得を乗じたものである。一方、二次標的密度は、酵素利得に二次標的タンパク質濃度のみを乗じたものである。
【００４１】
デジタルイメージングシステムに応じて、照度の変化により画像のダイナミックレンジが圧縮（暗くなる）又は飽和（明るくなる）にシフトする。これらの変化は、抗原色スケールをシフトさせるが、抗原密度の数値スケールはシフトしない。このため、数値スケールは照度と独立であり、色スケールは照度に依存する。
【００４２】
ＱＣモードでは、図３に示されるように、共在する標的がＩＨＣプロセスのフィードバックを与える。二次アレイの４つの列を公称値内の場合、公称値を超える場合、公称値を大幅に超える場合及び公称値を過度に超える場合（それぞれ５％、１０％、３０％及び４０％）の行われる抗原賦活化の程度の差で示した。抗原賦活化プロセスでは、ホルムアルデヒドとタンパク質との間のシッフ塩基結合を逆転することによって抗原部位のアンマスキングを図る。抗原が露出する速度は、反応温度によって大きく左右される。温度が上昇するにつれ、核沸騰（nucleated boiling）の可能性が生じる。核沸騰は、組織及びタンパク質付着物の両方に対する物理的損傷を引き起こす。理想的には、抗原賦活化活性はスライド全体で一様であるが、実際には、そうはならず、用いられる方法及び環境に依存して、より高い又はより低い抗原賦活化活性を有する領域が生じる。一様の抗原賦活化活性を仮定すると、以下の事項を用いてスライドが診断判定に使用可能であると示すことができる。
【００４３】
ＡＲが最低又は過度である場合、二次アレイが失敗を反映することができない可能性がある。しかしながら、２つのＡＲ標的が過度の失敗条件を示唆する。
【００４４】
低ＡＲは一定未満の２Ｄ／３Ｄ及び一定を超える２Ｄとして見られ、標的はどちらも黒色である。二次アレイは、標的のＡＲシフトが残らずに完全に見える。
【００４５】
低ＡＲ活性がＩＨＣ染色装置における以下の状況から生じ得る：
ＡＲ加熱装置が動作しないか、又は８０℃よりはるかに低温に設定される；
ＡＲバッファーがｐＨ６又は９ではなく、中性ｐＨ７を有する；
曝露時間が過度に短い。
【００４６】
高ＡＲは一定未満の２Ｄ／３Ｄとして見られ、大幅に白化し、一定を超える２Ｄ標的は５０％未満が黒色である。二次アレイの大半も白化する。
【００４７】
高ＡＲ活性がＩＨＣ染色装置における以下の状況から生じ得る：
加熱装置が９５℃超の温度で動作する；
曝露時間が過度に長い。
【００４８】
色素原沈殿の誤りは、２つの状況下で起こり得る。
【００４９】
高濃度の二次標的では、染色強度が最大暗さとはならずに下がる。二次アレイでは、部位密度に対して常に増大させる必要がある。そうでない場合、色素原沈殿により二次試薬キットのキャパシティが枯渇した。その解決策は、一次抗体の希釈率を増大すること（抗体濃度を低下させることと同じ）である。
【００５０】
色素原試薬は、活性化（ＤＡＢによって生じることが多い）のために劣化している。その解決策は、新たなＤＡＢ混合物を使用することである。
【００５１】
顕微鏡スライドを従来の顕微鏡で見ることは、照明レベルに関して主観的である。ホールスライドイメージング（whole slide imaging；ＷＳＩ）では、ホワイトバランス及びコントラストを確立するために、スキャナーに完全な白色及び黒色のホールを用いる。このことは、手動顕微鏡には当てはまらない。図３に、照明レベルが過度に暗い場合（最適より−５％）、最適の場合（＋０）及び過度に明るい場合（＋１０％又は＋１５％等）の画像に対する影響を示す。光レベルが最適を下回る場合、染色密度の圧縮が見られる。癌の病期に関しては、これにより診断が本来あるべきよりも１段階高くなる可能性がある。光レベルが最適を上回る場合、画像の白化が見られる。癌の病期に関しては、これにより診断が本来あるべきよりも１段階低くなる可能性がある。抗原の色密度及び数値のルーラーを一次標的及び二次標的から作成し、ＷＳＩ画像に重ね合わせることができる。数値スケールが独立事項である一方、色密度は従属事項である。抗原密度の色及び数値のルーラーをＷＳＩに適用する場合、使用者が照明レベルを上下しても数値スケールは固定されたままである。一方、色密度スケールは照明レベルの変化に応じてシフトする。その利点は、組織像上の特徴が最も良好に「見える」ように、使用者が色密度との数値関係を失うことなく見かけの照明を上下する選択肢を有することである。このことは、倍率を変化させる際にも実用的である。
【００５２】
抗原密度ルーラーを作成することができる形式は２つある。タイプＡは、一次抗体が常に組織抗原部位に対して１０％未満過剰な抗体で適用されるという仮定に基づく。タイプＢでは、一次抗原の勾配密度アレイを用いる。
【００５３】
タイプＡ：二次のみに基づく抗原ルーラー
この形式では、二次標的アレイのみを用いる。２Ｄバーコードに組み込まれる確認済みの情報は、（ａ）一次抗体データ：抗体の宿主種及び−ｄＢｄでの希釈率、並びに（ｂ）二次酵素利得を含む。
【００５４】
二次勾配密度標的アレイは、標的間の−３ｄＢｄの減分に従う既知濃度のタンパク質から構成される。最大濃度は、一次抗体に用いられる最低希釈率によって選ばれる。殆どの使用者は、抗体試薬の製造業者によって提供される濃度基準値を用い、１μｇ／ｍｌの一定中間濃度まで希釈する。それから、異なる組織型に対応するように他の全ての希釈を必要に応じて行う。概して、第２の一次抗体希釈のセットは、１：１〜１０００：１の範囲である。
【００５５】
二次酵素利得の範囲に対応するためには、二次アレイをより広範囲の希釈から構成しなくてはならない。このため、−３ｄＢｄ刻みでは、二次アレイの最低希釈を１０００：１又は−６０ｄＢｄから始める（ＳｄＢｄによって表される）。この場合、８ドット系列の最大値は−０ｄＢｄ又は１：１となる。抗原賦活化の作用により二次タンパク質が分解される（ＡＲｄＢｄによって表される）。二次アレイ中の８つのうち１つの各ドットは、−３ｄＢｄの増分を表す。２つの標的の消失についての抗原賦活化による消失（もはや視認可能でない）は、＋６ｄＢｄとなる。このことは、二次アレイが２Ｄ標的の（−Ｓ＋ＡＲ）ｄＢｄ又は（＋６ｄＢｄ〜−５４ｄＢｄ）であることを意味する。ここで、抗体濃度及び二次酵素利得を考慮に入れる必要がある。抗体濃度はＡｄＢｄであるが、酵素利得はＥｄＢｄである。これにより、二次アレイは（−Ｓ＋ＡＲ−Ｅ）ｄＢｄとなり、組織は（＋ＡＲ−Ｅ＋Ａ）ｄＢｄとなる。適用すべき次の因子は、１００％２Ｄ対３Ｄ差分である。１００％２Ｄ／３Ｄ標的及び１００％２Ｄにおける３Ｄ物体間の染色差は、二次染色の色素原沈殿定数を表し、これは色密度を数値スケールに割り当てるために用いられ、ＤｄＢｄに割り当てられる。色密度の差は、アレイ中の２Ｄ標的の各々に適用される。このため、２Ｄアレイは（＋ＡＲ−Ｅ＋Ａ＋Ｄ）ｄＢｄの染色色密度で存在する。
【００５６】
例えば、酵素利得が１０倍である場合、Ｅは−２０ｄＢｄとなる。この場合、２Ｄ二次アレイは−１４、−１７、−２０、−２３、−２６、−２９、ブランク、ブランク（ｄＢｄ）となる。０％近くの２つのドットは、染色により回復することができないほど抗原賦活化プロセスによって損傷を受けているため、ブランクとされる。例えば、２Ｄ／３Ｄ色密度差が１０倍である場合、Ｄは＋２０ｄＢｄとなり、３Ｄ二次アレイは−３４、−３７、−４０、−４３、−４６、−４９、ブランク、ブランク（ｄＢｄ）となる。一次抗体試薬により一次標的中の好適な抗原部位が見出され、１００％の収率が得られると仮定する。ＫＬＨタンパク質１つ当たり２つよりはるかに多くの抗原ペプチド鎖が存在するが、ＫＬＨタンパク質１つ当たり１つの抗体のみが効果的に結合し、染色することができるとも仮定する。同じＫＬＨタンパク質上に好適な抗原を見出す任意の付加的な抗体は、重複占有のために二次染色の完了が妨げられる。したがって、検出することができる一次抗原保有タンパク質１つ当たりの抗原部位の数は１である。一次標的が１ミクロン当たり二次と同じ数のタンパク質を含有することから、二次色密度を数値抗原密度に対して調整するために、５００μｇ／ｍｌ抗体マスターからの一次希釈を二次アレイデータに適用する。二次標的をモニタリングすることで、中間の色密度を有する標的を選ぶ。中間の色密度は、最大限の黒色と最大限の白色との間の５０％の点として規定される。この点は、３ｄＢｄ範囲内では１．５ｄＢｄに相当する。この場合、この点は抗原密度ルーラーを確立する固定点（anchor）として機能する。上記の最終標的範囲を用いると、中間点は−４１．５ｄＢｄとなる。
【００５７】
二次タンパク質を１０μｇ／ｍｌのマスター希釈液へと希釈する。各アレイは、ロバＩｇＧタンパク質と混合されたマウス又はウサギのブレンドである。タンパク質は全て異なる原子質量を有するが、以下では全て１５０ｋＤａであり、標的ドット１つ当たりのタンパク質の総数は一定であり、混合比は一定でないと想定される。差し当たり、反応性タンパク質濃度のみを考慮する。１５０ｋＤａでは、個々のタンパク質の分子量ＭＷは２４９．０７×１０−１２ｎｇである。標準標的ドットは直径１ｍｍである。印刷される付着物が１μｍ厚である場合、付着物の濃度は１０μｇ／ｍｌであり、３１．５×１０６個のタンパク質が付着する。この場合、直径１μｍの領域は３１．５個のタンパク質を有する。１個のタンパク質が１つの抗原部位に相当するとみなすことで、抗原密度を確立することができる。二次アレイでは付着物１つ当たり同数のタンパク質を用いるが、マウス又はウサギとロバとの比率は、マウス又はウサギの濃度を低下させるにつれて変化する。１００％標的は全てマウス又はウサギであり、ルーラー上の０ｄＢｄの点に一致する。
【００５８】
二次では、一次抗体が組織上の抗原部位に結合する場合にのみ組織が染色される。このことは、十分な抗体濃度を利用可能な抗原部位に結合するように与える必要がある点を除いて、適用される抗体の濃度に特に左右されない。このため、組織上での抗原密度の測定値は一定のままであるが、数値を抗原賦活化による損傷及び二次酵素利得に対して補正しなければならない。この場合、数値測定値に対する色密度を調整する必要がある。
【００５９】
先の例では、酵素利得は１０倍であり、抗原賦活化が二次アレイからの２つのドットの消失を引き起こしている。酵素利得は−２０ｄＢｄであり、抗原賦活化による消失は＋６ｄＢｄである。結果として−１４ｄＢｄとなる。この場合、希釈は以下のように変換される。
【００６０】
【表１】
2020523616.tif 000003
【００６１】
タイプＢ：一次抗原に基づくルーラー
この形式では、一次及び二次標的アレイの両方を用いる。２Ｄバーコードに組み込まれる確認済みの情報は、（ａ）一次抗体データ：抗体の宿主種及びｄＢｄｉｌｕｔｉｏｎでの希釈率、並びに（ｂ）二次酵素利得を含む。ロットのコードデータは、用いられる一次標的の組合せに関する情報を含む。
【００６２】
一次標的系列が存在する場合、３ドットとなり、ここで最も濃厚なドットは二次アレイと同じ１００％濃度となるが、ドットは−６ｄＢｄの間隔で配置される。実際には、一次アレイ及び二次アレイが同じ希釈勾配を有する。一次標的は−０ｄＢｄ、−６ｄＢｄ、−１２ｄＢｄとなり、ＰｄＢｄで表される。抗原賦活化が損傷を生じ、二次アレイとほぼ同一であると予想することは妥当である。一次アレイは二次染色の作用を受けるため、同じ酵素利得関数を受ける。このため、一次アレイは（−Ａ＋ＡＲ−Ｅ）ｄＢｄとなり、ここで一次標的密度は、一次抗体の希釈率によって制御される。唯一の要件は、Ｐが常にＡよりも大きくなることである。１０倍の酵素利得＝−２０ｄＢｄ及び＋６ｄＢｄの抗原賦活化による消失では、一次アレイは−２０ｄＢｄ、−２６ｄＢｄ、−３２ｄＢｄである。抗原賦活化による消失は、二次アレイに対する影響に基づくと、一次標的にそれらをブランクにするほど作用しない。二次アレイは抗原密度ルーラーを作成するのに十分であるが、一次希釈が正確に適用されたことを確認するのが重要である。このため、一次標的は、そのキャパシティにおいて機能する。
【００６３】
本願は、「Process Record Slide for Immunohistochemical Staining」と題する米国仮特許出願第６２／５２０３１９号に開示される標的タンパク質濃度スケールを有するスライドの定義の参照をその全体に援用する。米国仮特許出願第６２／５２０３１９号でも規定される、標的タンパク質濃度スケールを有する上述のスライドは、最低でも２つの二次タンパク質標的アレイ及び任意に１つ以上の一次抗原標的アレイから構成される。
【００６４】
本発明の一実施形態では、上述の二次タンパク質標的アレイは、２０ｌｏｇ（希釈率）曲線中で最大密度から最低密度へと進む５成員以上の勾配密度系列を形成する、１つのマウスＩｇＧ及びダミー（dummy）ＩｇＧ血清タンパク質と混合された他のウサギＩｇＧの２つの列として形成され、ここで希釈率は１：１〜１０００：１の範囲であり得る。
【００６５】
別の実施形態では、最終プロセス工程において、特定された抗原部位が色素原沈殿によって着色される。これにより、マウス及びウサギの標的アレイは、二次染色キットの色素原沈殿の２０ｌｏｇ（希釈率）曲線を反映する。
【００６６】
別の実施形態では、一次抗原密度スケールを形成する方法の好ましい解決策は、標的混合物が首尾よく構成され、それらが標的タンパク質濃度スケールを有するスライド上に付着し、接着剤と標的物質との間の共有結合を有することを前提とする。
【００６７】
別の実施形態では、標的アレイが首尾よく適用され、一次及び二次染色試薬の両方が合理的に働くと推定すると、データセット間の曲線当てはめをコンピュータアルゴリズムによって容易に行うことができる。別の実施形態では、前記一次染色が、更に蛍光マーカーにコンジュゲートされていないか又は酵素部位（ＨＲＰ又はＡＰ等）と一体化されていない、マウス又はウサギ宿主タンパク質を用いる、ＩＨＣに認可された任意の抗体から選択され得る。別の実施形態では、前記二次染色を、各々がマウスとウサギとで独自に独立し、各々が異なる色の色素原を用いる、１倍〜２５倍の酵素利得を有する二次染色から選択することができるが、これらに限定されない。
【００６８】
本発明の別の実施形態では、或るスライド上での絶対的なパフォーマンス結果が別の時点で行われた別のスライドと同一でない可能性があると留意することが適切である。これは、二次染色キットが一次コンジュゲート一次抗体のようにロット間でパフォーマンスが異なるということによる。しかしながら、標的タンパク質濃度スケールを有するスライドのいずれか１つについてのパフォーマンスについては、抗原スケールが有効であり、異なる染色試薬を用いた別の実施とほぼ同等となる。
【００６９】
別の実施形態では、前記一次抗原濃度スケールを、癌等の検出される細胞の異常の組織切片を利用するために、続いて共在する組織切片に適用する。
【００７０】
別の実施形態では、標的タンパク質濃度スケールを有するスライドは、下記に説明される（正：described）通りである。
【００７１】
検出ゾーンと対照ゾーンとを備えるスライドであって、
検出ゾーンは、免疫組織化学（ＩＨＣ）による処理及びその後の試験のために組織切片又は遊離細胞（loose cells）を適用する空間であり、
対照ゾーンは、１セット以上の一次及び／又は二次標的アレイを含み、
二次標的アレイは、１個以上（例えば１個〜５０個、５個〜４５個、１０個〜４０個、１５個〜３５個又は２０個〜３０個、特に１個、２個、３個、４個、５個、６個、７個、８個、９個又は１０個）の二次標的ローディングドット（ドットは円形、楕円形、正方形、菱形等の任意の規則的又は不規則な形状であり得る）を含み、各二次標的ローディングドットは、或る特定の比率でスライドに固定された宿主タンパク質（例えば、ＩｇＧ）とダミータンパク質（例えば、ＩｇＧ）との混合物である、スライド。
【００７２】
「ダミータンパク質」という用語は、二次抗体とは反応せず、勾配希釈を得るために宿主タンパク質との混合に用いられるタンパク質を意味する。好ましいダミータンパク質は、ロバタンパク質（ＩｇＧ）又はウマタンパク質（ＩｇＧ）である。
【００７３】
「宿主タンパク質」という用語はマウス、ラット、ウサギ、ロバ、ウマ及びヤギタンパク質（ＩｇＧ）等の一次抗体と同じ起源を有するタンパク質（特にＩｇＧ）を意味する。
【００７４】
スライドの一例を図１に示し、標的の詳細な特定を図２に示す。
【００７５】
様々な実施形態を本明細書に例として記載する。本明細書に提示される発明のより広い範囲を逸脱することなく、様々な変更を加えることができ、他の実施形態を行うことができることが当業者には明らかである。例示的な実施形態へのこれら及び他の変更は、本発明によって包含されることが意図される。
【図１】
2020523616.tif 000004
【図２】
2020523616.tif 000005
【図３】
2020523616.tif 000006
【国際調査報告】
2020523616.tif 000007
2020523616.tif 000008
2020523616.tif 000009
2020523616.tif 000010